【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】
画像読取装置により画像の読み取りを行う画像読取システムにおいて、
複数の読み取りモードの中から所望の読み取りモードを選択するための選択手段と、
前記複数の読み取りモードに対応する複数の補正データを格納可能な格納手段と、
前記選択手段により選択された読み取りモードに対応する補正データが前記格納手段に格納されているか否かを判定する判定手段と、
前記判定手段により前記選択された読み取りモードに対応する補正データが前記格納手段に格納されていると判定された場合には、該格納手段内の前記選択された読み取りモードに対応する補正データを用いた補正を行うように制御し、前記判定手段により前記選択された読み取りモードに対応する補正データが前記格納手段に格納されていないと判定された場合には、前記選択された読み取りモードに対応する補正データを生成し、生成した補正データを用いた補正を行うように制御する制御手段と
を備えることを特徴とする画像読取システム。
【請求項２】
前記制御手段は、前記生成した補正データを前記格納手段に格納することを特徴とする請求項１記載の画像読取システム。
【請求項３】
前記補正データは、キャリブレーションデータ又はシェーディングデータであることを特徴とする請求項１又は２記載の画像読取システム。
【請求項４】
画像読取装置により画像の読み取りを行う画像読取方法において、
複数の読み取りモードの中から所望の読み取りモードを選択する工程と、
前記複数の読み取りモードに対応する複数の補正データを格納可能な格納手段に前記選択された読み取りモードに対応する補正データが格納されているか否かを判定する工程と、
前記選択された読み取りモードに対応する補正データが前記格納手段に格納されていると判定された場合には、前記格納手段内の前記選択された読み取りモードに対応する補正データを用いた補正を行うように制御し、前記選択された読み取りモードに対応する補正データが前記格納手段に格納されていないと判定された場合には、前記選択された読み取りモードに対応する補正データを生成し、生成した補正データを用いた補正を行うように制御する工程と
を有することを特徴とする画像読取方法。
【請求項５】
さらに、前記生成した補正データを前記格納手段に格納する工程を有することを特徴とする請求項４記載の画像読取方法。
【請求項６】
前記補正データは、キャリブレーションデータ又はシェーディングデータであることを特徴とする請求項４又は５記載の画像読取方法。
【請求項７】
画像読取装置により画像の読み取りを行う画像読取システムを構築するためのプログラムを格納したコンピュータ読取り可能な記憶媒体において、
前記プログラムは、
複数の読み取りモードの中から所望の読み取りモードを選択するための選択モジュールと、
前記選択された読み取りモードに対応する補正データが前記格納手段に格納されているか否かを判定する判定モジュールと、
前記判定モジュールにより前記選択された読み取りモードに対応する補正データが前記格納手段に格納されていると判定された場合には、該格納手段内の前記選択された読み取りモードに対応する補正データを用いた補正を行うように制御し、前記判定モジュールにより前記選択された読み取りモードに対応する補正データが前記格納手段に格納されていないと判定された場合には、前記選択された読み取りモードに対応する補正データを生成し、生成した補正データを用いた補正を行うように制御する制御モジュールと
を有することを特徴とする記憶媒体。
【請求項８】
前記プログラムは、さらに、前記前記生成した補正データを前記格納手段に格納するモジュールを有することを特徴とする請求項７記載の記憶媒体。
【請求項９】
前記補正データは、キャリブレーションデータ又はシェーディングデータであることを特徴とする請求項７又は８記載の記憶媒体。
【手続補正２】
【補正対象書類名】明細書
【補正対象項目名】０００９
【補正方法】変更
【補正の内容】
【０００９】
本発明の目的は、補正データを複数の読取モード毎に管理することで、複数の読取モードにそれぞれに用いられる補正データの取得を効率的に行うことができる画像読取システム、画像読取方法および記憶媒体を提供することにある。


【手続補正３】
【補正対象書類名】明細書
【補正対象項目名】００１０
【補正方法】変更
【補正の内容】
【００１０】
【課題を解決するための手段】
本発明は、上記目的を達成するため、画像読取装置により画像の読み取りを行う画像読取システムにおいて、複数の読み取りモードの中から所望の読み取りモードを選択するための選択手段と、前記複数の読み取りモードに対応する複数の補正データを格納可能な格納手段と、前記選択手段により選択された読み取りモードに対応する補正データが前記格納手段に格納されているか否かを判定する判定手段と、前記判定手段により前記選択された読み取りモードに対応する補正データが前記格納手段に格納されていると判定された場合には、該格納手段内の前記選択された読み取りモードに対応する補正データを用いた補正を行うように制御し、前記判定手段により前記選択された読み取りモードに対応する補正データが前記格納手段に格納されていないと判定された場合には、前記選択された読み取りモードに対応する補正データを生成し、生成した補正データを用いた補正を行うように制御する制御手段とを備えることを特徴とする。


【手続補正４】
【補正対象書類名】明細書
【補正対象項目名】００１１
【補正方法】変更
【補正の内容】
【００１１】
また、本発明は、上記目的を達成するため、画像読取装置により画像の読み取りを行う画像読取方法において、複数の読み取りモードの中から所望の読み取りモードを選択する工程と、前記複数の読み取りモードに対応する複数の補正データを格納可能な格納手段に前記選択された読み取りモードに対応する補正データが格納されているか否かを判定する工程と、前記選択された読み取りモードに対応する補正データが前記格納手段に格納されていると判定された場合には、前記格納手段内の前記選択された読み取りモードに対応する補正データを用いた補正を行うように制御し、前記選択された読み取りモードに対応する補正データが前記格納手段に格納されていないと判定された場合には、前記選択された読み取りモードに対応する補正データを生成し、生成した補正データを用いた補正を行うように制御する工程とを有することを特徴とする。
【手続補正５】
【補正対象書類名】明細書
【補正対象項目名】００１２
【補正方法】変更
【補正の内容】
【００１２】
また、本発明は、上記目的を達成するため、画像読取装置により画像の読み取りを行う画像読取システムを構築するためのプログラムを格納したコンピュータ読取り可能な記憶媒体において、前記プログラムは、複数の読み取りモードの中から所望の読み取りモードを選択するための選択モジュールと、前記選択された読み取りモードに対応する補正データが前記格納手段に格納されているか否かを判定する判定モジュールと、前記判定モジュールにより前記選択された読み取りモードに対応する補正データが前記格納手段に格納されていると判定された場合には、該格納手段内の前記選択された読み取りモードに対応する補正データを用いた補正を行うように制御し、前記判定モジュールにより前記選択された読み取りモードに対応する補正データが前記格納手段に格納されていないと判定された場合には、前記選択された読み取りモードに対応する補正データを生成し、生成した補正データを用いた補正を行うように制御する制御モジュールとを有することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】０１４１
【補正方法】変更
【補正の内容】
【０１４１】
【発明の効果】
以上説明したように、本発明によれば、補正データを複数の読取モード毎に管理することで、複数の読取モードにそれぞれに用いられる補正データの取得を効率的に行うことができる。